(57)【要約】【課題】  複数の排紙トレーを有する画像形成装置において、ラージサイズの大量枚数の１ジョブを排紙トレーに積載するときに、下の排紙トレーに排紙するため、サイズを判断し排紙トレー決定する。【解決手段】  記録紙のサイズに応じていずれかの排紙トレーに積載させるための設定手段を有し、画像出力手段において印字された記録紙を排紙トレーに積載する時に、前記設定手段で設定された場合に、印字された記録紙のサイズに従い積載を行う。【選択図】        図８
2005208224.tif 000002
【特許請求の範囲】
【請求項１】
画像データを記録紙上に印字する画像出力手段と、前記画像出力手段において出力された記録紙を後処理するシート後処理装置を有し、前記シート後処理装置は、後処理された記録紙を積載する少なくとも複数の排紙トレーを有し、前記記録紙のサイズに応じて前記いずれかの排紙トレーに積載させるための設定手段を有する画像形成装置において、
前記画像出力手段において印字された記録紙を前記排紙トレーに積載する時に、前記設定手段で設定された場合に、前記印字された記録紙のサイズに従い積載を行うことを特徴とする画像形成装置。
【請求項２】
前記請求項１において、サイズ毎に積載するトレーを指定することを特徴とする画像形成装置。
【請求項３】
前記請求項２において、前記排紙トレー上に積載された記録紙サイズを記憶する手段を有し、前記記憶した記録紙サイズと、積載を行う記録紙種類が異なると判断した場合に、印字動作を中断することを特徴とする画像形成装置。
【請求項４】
前記請求項３において前記画像形成装置を、操作、表示を行う操作部手段を有することを特徴とする画像形成装置。
【請求項５】
前記請求項４において、印字動作を中止する場合に、前記操作部手段に表示を行うことを特徴とする画像形成装置。
【請求項６】
前記請求項５おいて、シート後処理装置は、束シフト手段、パンチ穴あけ手段、ステイプル手段、Ｚ折り手段を有することを特徴とする画像形成装置。
【請求項７】
前記請求項６において、Ｚ折り手段によりＺ折りした記録紙は、元サイズの半分のサイズと認識することを特徴とする画像形成装置。
【発明の詳細な説明】
【技術分野】
【０００１】
本発明は、画像形成装置に関し、特に、複数ジョブを受け画像を形成するデジタル画像形成装置に関する。
【背景技術】
【０００２】
近年、デジタル複合機において、大容量の記憶媒体を装備し、コピー、ＦＡＸ、プリンタなどの様々な出力を行い、さらにデジタル複合機に接続され、束オフセットソート、ステイプル、Ｚ折りなど様々なシート後処理が可能なシート後処理装置（以降フィニッシャと呼ぶ）も開発されている。
【０００３】
このフィニッシャは、前記大容量の記憶媒体に、蓄積された大量の画像を出力するために１つの排紙トレーに積載可能枚数を増やし、排紙トレー数が２ないし３のものが開発されている。その結果、１つのトレーに複数ジョブの出力が重なる結果となり、出力結果を区別するために、束オフセットソートなどを実現している。
【０００４】
この記憶媒体が大容量であるがために、１度に大量ページの印字画像を投入することが可能であり、大量ページを投入し印刷する場合が増えてきている。
【０００５】
様々なシート後処理が可能なシート後処理装置を接続可能な画像形成装置は以下の特許文献１参照。
【特許文献１】特開平１０−２６５１２号公報
【発明の開示】
【発明が解決しようとする課題】
【０００６】
このフィニッシャを接続した状態の大量ページの出力において、Ａ３サイズを１５００ページ印刷し、続いてＡ４サイズを１５００ページ印刷する場合に、先に印刷されたＡ３サイズは次ジョブのサイズを意識しないので、まずとりやすい位置に出力する。次にＡ４サイズを印刷する場合は、図９に示すようにトレーが移動し、Ａ３サイズの紙はさらに高い位置に移動してしまう。Ａ４サイズに印刷する場合に、１５００枚印刷するには、毎分１００枚の機器でも１５分かかり、この１５分の間に、Ａ３サイズを取り除かなければならないこともある。しかしながら、Ａ３サイズ１５００枚が高い位置ある場合に、取り除くには大変な力を有し、女性等の非力な操作者の場合は、積載された記録紙を崩したりすることもある。この状況を改善しなくてはならない。
【課題を解決するための手段】
【０００７】
本発明では、前記問題を鑑み、フィニッシャが接続された時に大量ページのジョブを複数のサイズ出力する場合に、トレーから取り除く場合の記録紙の積載崩れを防ぐことを課題としている。
【０００８】
Ａ３等のラージサイズを判断し、自動的に下トレーに出力する。さらに、既にトレー上に積載されている記録紙がある場合は、トレーに積載されているサイズと比較し、違うサイズの用紙を積載しなければならない場合は、印字動作を中止し、トレーに積載されている記録紙を取り除くアラームを表示する。
使用者が、取り除いた場合に印字動作を再開することで、前記問題を解決することを課題とする。
【発明の効果】
【０００９】
このように、排紙するサイズに従い積載するトレーを決定することにより、大量枚数を出力した場合に、取り除くときに積載崩れを発生することを防ぐことが可能となる。
【発明を実施するための最良の形態】
【００１０】
以下本発明を実施するための最良の形態を、実施例により詳しく説明する。
【実施例１】
【００１１】
図１は、本実施例の構成を示す複写機であり、
リーダ部１およびプリンタ部２の構成を示す断面図である。以下、構成および動作について説明する。
【００１２】
原稿給送装置１０１上に積載された原稿は、１枚づつ順次原稿台ガラス面１０２上に搬送される。原稿がガラス面１０２の所定位置へ搬送されると、スキャナ部のランプ１０３が点灯、かつスキャナ・ユニット１０４が移動して原稿を照射する。原稿の反射光は、ミラー１０５、１０６、１０７、レンズ１０８を介してＣＣＤイメージ・センサー部１０９（以下ＣＣＤと称する）に入力される。
【００１３】
図２は、上記のリーダ部１の信号処理構成を示す回路ブロック図であり、以下、構成および動作について説明する。
【００１４】
ＣＣＤ１０９に照射された原稿の反射光は、ここで光電変換され、レッド、グリーン、ブルーの各色の電気信号に変換される。ＣＣＤ１０９からのカラー情報は、次の増幅器１１０Ｒ，１１０Ｇ，１１０ＢでＡ／Ｄ変換器１１１の入力信号レベルに合わせて増幅される。Ａ／Ｄ変換器１１１からの出力信号は、シェーディング回路１１２に入力され、ここでランプ１０３の配光ムラや、ＣＣＤの感度ムラが補正される。シェーディング回路１１２からの信号は、Ｙ信号・色検出回路１１３及び外部Ｉ／Ｆ切り替え回路１１９に入力される。
【００１５】
Ｙ信号生成・色検出回路１１３は、シェーディング回路１１２からの信号を下記の式で演算を行いＹ信号を得る。
Ｙ＝０．３Ｒ＋０．６Ｇ＋０．１Ｂ
【００１６】
さらに、Ｒ，Ｇ，Ｂの信号から７つの色に分離し各色に対する信号を出力する色検出回路を有する。Ｙ信号生成・色検出回路１１３からの出力信号は、変倍・リピート回路１１４に入力される。スキャナ・ユニット１０４の走査スピードにより副走査方向の変倍を、変倍回路・リピート回路１１４により主走査方向の変倍を行う。また変倍・リピート回路１１４により複数の同一画像を出力することが可能である。輪郭・エッジ強調回路１１５は、変倍・リピート回路１１４からの信号の高周波成分を強調することによりエッジ強調および輪郭情報を得る。輪郭・エッジ強調回路１１５からの信号は、マーカエリア判定・輪郭生成回路１１６とパターン化・太らせ・マスキング・トリミング回路１１７に入力される。
【００１７】
マーカエリア判定・輪郭生成回路１１６は、原稿上の指定された色のマーカペンで書かれた部分を読みとりマーカの輪郭情報を生成し、つぎのパターン化・太らせ・マスキング・トリミング回路１１７でこの輪郭情報から太らせやマスキングやトリミングを行う。また、Ｙ信号生成・色検出回路１１３からの色検出信号によりパターン化を行う。
【００１８】
パターン化・太らせ・マスキング・トリミング回路１１７からの出力信号は、プリンタ部２に出力する場合は、後述する画像データセレクタ１１８により選択され、レーザドライバ回路１１９に入力され各種処理された信号をレーザを駆動するための信号に変換する。レーザドライバ１１９の出力信号は、プリンタ２に入力され可視像として画像形成が行われる。
【００１９】
画像メモリ１２０は、画像データセレクタ１１８により送られた画像データをＣＰＵ１２２の指示により画像メモリ１２０の指定位置に後述する方法で、記憶及び読みだしを行い、回転処理、画像をメモリ上で合成する機能を行っている。
【００２０】
ＣＰＵ回路１２２はリーダ部１を制御するもので、制御プログラム、エラー処理プログラムなどを記憶するＲＯＭ１２４と各種プログラムのワークエリアなどのために利用されるＲＡＭ１２５と各種タイマー制御部等から構成される。
【００２１】
操作部１２３はリーダ部１の画像処理に対する画像編集内容、コピー枚数等の画像動作を指示する各種キー群と、操作時の内容を表示する表示部等を有している。
【００２２】
図４−１は本実施例の操作部１２３の詳細を示したものである。この操作部１２３には、各種キーと、液晶表示装置からなるドットマトリックスで構成される液晶表示部２５０とが配置されている。
【００２３】
液晶表示部２５０はタッチパネルであり、キー表示部を押下することにキー入力が出来る。
【００２４】
ハードキー群に４０は、各種ハードキーであり、スタートキー２４１は、コピーをスタートする為のキーであり、復帰キー２４６は設定モードを標準状態に復帰するためのキーである。
【００２５】
またキー群２４５は、コピー枚数、ズーム倍率等を入力させる０〜９までのテンキーとその入力をその入力をクリアするためのクリアキーである。このキー郡で入力されたコピー部数は、液晶表示部２５３に表示される。ガイドキー２４７は、各機能のガイド画面を表示させるためのキーであり、ユーザーモードキー２４８は、機器の各種設定を行うためのキーである。
【００２６】
液晶表示部２５０は、装置の状態、コピー枚数、倍率、選択用紙及び各種操作画面を表示する。液晶表示部２５０には、タッチキーも表示される。キー２５２は、給紙段及びオート用紙選択を選択するキーであり、このキーを押下すると、図４−２（１）に示される選択画面が表示される。この画面で給紙段を選択しＯＫキー２７０を押下すると、この画面は閉じ、表示部２５１に表示される。キー２５８・キー２６２は濃度調整を行うためのキーで、これにより調整される濃度は、表示部２６３に表示される。キー２５９は自動濃度調整機能をＯＮ／ＯＦＦするためのキーとその表示部である。
【００２７】
キー２５４、キー２５５はそれぞれ等倍、縮小／拡大を設定するキーである。キー２５５を押下すると図４−２（２）に示される画面が表示され、拡大縮小を詳細に設定できる。倍率は、液晶表示部２６４にも表示される。
【００２８】
キー２６０は応用モードキーであり、キー２６０を押下すると、各種モード設定画面に移行する。
【００２９】
次に両面印刷の設定に関して、図４−２（３）、図４−２（４）に従い説明する。操作部１２３上のキー２５７は両面キーであり、キー２５７を押下すると、図４−２（２）に示す両面印字設定画面が表示される。キー２８０は、原稿片面を両面印字するための設定キーであり、キー２８１は、両面原稿から両面印字するためのキーである。キー２８２は図４−２（３）において操作したものを取り消すためのキーである。キー２８３は、両面原稿を片面印字するためのキーであり、キー２８４はページ連写両面の設定キーである。キー２８５、図４−２（３）において操作したことを設定するためのキーである。キー２８６は、詳細設定を行うためのキーであり、キー２８６を押下すると、図４−２（４）が表示される。キー２９０は、両面印刷物を、左右開きに印字するためのキーであり、キー２９１は、上下開きに印字するためのキーである。図４−２（３）／図４−２（４）を設定することにより、両面印字が設定可能となる。
【００３０】
次に、図７（０）〜（５）に従い、本発明で設定を行う排紙トレー上に異なるサイズを積載しないことの設定（以降排紙混載のＯＮ／ＯＦＦと呼ぶ）、排紙トレーの使用設定方法、排紙トレー上に積載するサイズの設定方法を説明する。
【００３１】
ユーザーモードキー２４８を押下すると図７（０）に示される操作画面が表示される。
【００３２】
キー７０１は、機械の動作に対し共通に設定を行うキーで共通機能設定キーである。
【００３３】
キー７０２は、コピー機能に対し設定するキーで、オート回転のＯＮ／ＯＦＦなどを設定する。キー７０３は、調整クリーニングに対するキーであり、ズームの調整などを設定する。
【００３４】
キー７０４はタイマーに関するキーでこのキーを押下することで、日付時刻などを設定することができる。
【００３５】
キー７０１を押下すると図７（１）に示される操作画面が表示される。キー７０８が排紙混載のＯＮ／ＯＦＦ設定キーであり、このキー７０８を押下すると、図７（２）に示される画面が表示される。キー７０８−１・７０８−２は排紙混載のＯＮ・ＯＦＦキーであり、どちらかを押すと、他方が無効になるトグルキーになっている。
【００３６】
キー７０７は、排紙トレー設定するキーであり、キー７０７はフィニッシャ接続時に表示される。これを押下すると、図７（３）に示される操作画面が表示される。この画面上の７０７―１〜７０７―８までのキーを押下することで、おのおのの機能において排紙積載に使用する排紙トレーを設定可能である。７０７−１はコピー機能でトレーＡを使用するときにＯＮ、使用しないときにＯＦＦ、７０２−１も同様であり、プリンタ機能で、トレーＡを使用するときにＯＮしないときにＯＦＦを設定する。同様に、キー７０７−３なボックス機能、キー７０７−４〜７０７−１０も各機能の排紙トレー使用のためのＯＮ／ＯＦＦキーであり、１つの機能で二つのトレーを使用することも可能である。キー７０７−１１は、詳細設定キーであり、１つの機能においてトレーＡ、トレーＢの双方が選択されている場合に、押下可能となる。今図７（３）においては、コピー機能は、排紙トレーのＡ／Ｂの２つを給紙口に対する用紙の種類を設定することができる。
【００３７】
キー７０７−１１を押下すると、図７（４）に示される詳細設定画面が表示される。キー７１０−１は、ラージサイズの記録紙を、トレーＢに排出ためのキーであり、キー７１０−２は、サイズ毎に指定可能なキーである。キー７１０−２を押下すると、図７（５）に示されるサイズ設定画面が表示される。キー７１０−１とキー７１０−２を双方ＯＮにすることはできないため、排他制御がおこなわれる。双方ＯＦＦにすると、詳細設定をＯＦＦにした状態となる。
【００３８】
キー７１１−１は、Ａ３サイズをトレーＡに出力するかトレーＢに出力するかの選択キーであり、キー７１１−１を押下するとＯＮとなり、トレーＡにＡ３サイズを出力することが可能となる。キー７１１−２も同様にトレーＢに出力する場合にＯＮにする。キー７１１−１とキー７１１−２は、少なくとも１つがＯＮになるように制御される。同様に、キー７１１−３〜キー７１１−１６を用い各種サイズにおけるトレー指定を設定する。
【００３９】
フィニッシャが接続されていない場合は、キー７０７は表示されず設定することが出来ない。
【００４０】
キー７０９が排紙トレー継続印刷を設定すうためのＯＮ／ＯＦＦ設定キーであり、このキー７０９を押下すると、図７（４）に示される画面が表示される。キー７０９−１・７０９−２は排紙継続のＯＮ・ＯＦＦキーであり、どちらかを押すと、他方が無効になるトグルキーになっている。
【００４１】
前記のように、キー７１１−１〜キー７１１−１６の詳細な設定を好まないユーザーのために、キー７１０−１が用意されている。
【００４２】
図５、図６、を用いて画像の記憶方法、読みだし用法について説明する。図５（１）は、画像メモリの１つの記憶容量を示したもので、本実施例では、６００ｄｐｉ基準でＡ３サイズの記憶ができるもので、縦７０１５ｘ横９９２０ビットで構成される。この記憶領域が図６に示す様に画像レイアウト領域１つとキャラクタ用データ１つと画像記憶領域として、１００枚分の画像が記憶できる様に構成されている。続いて図５（２）を用いて原稿画像を画像メモリに記憶する場合の例を示したものである。（２ａ）のようにおかれた原稿は、図に示す様に矢印の方向に順次読み込まれ、先ず、１ライン目が読み込まれると、（２ｂ）に示されるように（０、０）アドレスをスタート位置にＸ方向のカウントアップ、Ｙ方向のカウントアップに指定して、先ず１ライン目が読み込まれるとＹ方向のカウンタが（０、７０１５）方向に順に書き込まれる。次に２ライン目が読み込まれると、Ｘ方向のカウンタがアップされ（１、０）アドレスから（１、７０１５）アドレス方向に順に書き込まれる。次に３ライン目が読み込まれると、Ｘ方向のカウンタがアップされ（２、０）アドレスから（２、７０１５）アドレスまで書き込まれる。この様に読み込み、書き込みを繰り返して（４９６０、７０１５）まで書き込まれる。
【００４３】
次に（２）を用いてメモリに書き込まれた画像データを読み出す処理を（３）（４）を用いて説明する。（３）で記憶されたデータは、（３ａ）に示す様に先ず、１ライン目は、（４９６０、０）アドレスをスタート位置に、Ｘカウンタを順にカウントダウン、Ｙ方向のカウンタをアップに指定して（０、０）方向にＸカウンタを順にダウンしながら読みだす。つぎにＹカウンタをアップさせ、２ライン目の読みだしが行われ、（４９６０、１）アドレスから（０、１）の方向に読みだし、順次このように読み出す事により（３ｂ）の画像を読み出すことができる。
【００４４】
（４）では記憶されたデータは、（４ｂ）に示す様に先ず１ライン目は（０、０）のアドレスをスタート位置にし、Ｘ方向のカウンタをアップ、Ｙ方向のカウンタをダウンに指定して（０、７０１５）の方向にＹカウンタを順次アップしながら読み出す。次にＸカウンタをアップさせ、２ライン目の読みだしが行われ、（１、０）アドレスから（１、７０１５）方向に読みだし、順次この様に読み出すことにより、（４ｂ）の読みだしをおこなうことができる。
【００４５】
従って、（２ａ）に示すＡ４幅の原稿を（３）の方向で読み出すことで画像を回転しないで読み出すことができる。
【００４６】
また、（４ｃ）に示すようにまず１ライン目は（４９６０、７０１５）アドレスをスタート位置にＹカウンタをカウントダウンし（４９６０、０）まで順次読み出す。２ライン目はＸカウンタをカウントダウンさせ、（４９５９、７０１５）からＹカウンタをカウントダウンし、（４９５９，０）まで順読み出す。順次このように読み出すことにより（４ｄ）の１８０度回転した画像を読み出すことができる。
【００４７】
図６の画像レイアウトメモリについて説明する。前述したように（５ａ）（５ｂ）のような個々に記憶された画像を読みだし、画像レイアウトメモリの所望の位置に画像を書き込むことにより（５ｃ）に示すように別々の原稿画像をメモリ上で合成することができる。
【００４８】
プリンタ部２の説明
図１を参照しながらプリンタ部２の構成および動作について説明する。
プリンタ部２に入力された画像信号は、露光制御部２０１にて変調された光信号に変換されて感光体２０２を照射する。照射光によって感光体２０２上に作られた潜像は現像器２０３によって現像される。上記現像像の先端とタイミングを併せて転写紙積載部２０４、もしくは２０５より転写紙が搬送され、転写部２０６に於て、上記現像された像が転写される。転写された像は定着部２０７にて転写紙に定着された後、排紙部２０８より装置外部に排出される。排紙部２０８から出力された転写紙は、Ｚ折りユニット２６０をとおり、Ｚ折り機能が働いている場合は後述するＺ折部２６０で、Ｚ折りされ、その後パンチユニット２５０を通り、パンチ機能が働いている場合は、パンチされ、ステイプルソータ２３０に渡され、ステイプルソート機能が働いている場合は、複数装備されているステイプルユニットの中から１つのステイプルユニットが選択されステイプルされる。前記複数装備されているステイプルユニットを選択することによりステイプル位置を変更するが、これは、１つのステイプルユニット移動させることにより実現してもよい。ステイプルが終了すると、ステイプルユニットで処理された記録紙は、排紙トレー２４２（以降上トレーと呼ぶ）もしくは排紙トレー２４３（以降下トレーと呼ぶ）のいずれかに排出される。排紙トレー２４２、排紙トレー２４３は、移動部材２４５に固定されており、移動用ローラ２４４の回転動作により上下動する。
【００４９】
初期状態では、排紙トレー２４２が、排紙ローラ２３３から排出された記録紙を５０枚積載できる位置に停止しており、排紙トレー２４２に順次記録紙が積載された場合には、記録紙積載する前に、排紙トレー２４２は、下に移動し記録紙を積載可能な高さに移動する。このような動作を行うことにより、１５００枚の記録紙を積載する場合にも排紙トレー２４２は十分下に移動することにより紙詰まりや、積載崩れを起こすこと無く積載している。
【００５０】
排紙トレー２４３に排出する場合は、現在位置と初期状態位置から、上／下いずれかの方向に移動するかを判断し、ローラ２４４を所定量回転させ、今、図１に示す位置に排紙トレーがあった場合は、移動ローラ２４４を回転させ移動部材２４５を上に移動し、排紙トレー２４３が５０積載できる位置に移動する。勿論、移動後は、排紙トレー２４２と同様に排紙毎にトレーを上下し、排紙された記録紙を順次積載していく。
【００５１】
中綴じが設定されている場合は、方向変更部材２３２が動作することにより、記録紙は、サドルパス２３４に進む。サドルスタック部２３５に記録紙をスタックするために、サドルローラ２３６は所定量進むまで正転をし、その後逆転をし、２３５に記録紙を搬送する。この動作を繰り返し、出力枚数まで記録紙を、スタックする。すべての記録紙がスタックされた後、サドルローラは、所定量正転し、サドル部折り部材２３９が記録紙の真中にくるまで回転する。回転が止まると、サドル折り部材２３９が動作を開始し、２３７の折ローラに記録紙が到達すると、折りローラが回転を開始する。折りローラ２３７は排出ローラ２３８方向に記録紙を排出するように回転するため、しっかりとした折り目をつけることができる。この後図示せぬステイプラで折り部に２箇所ステイプルされ機外に排出される。
【００５２】
このように中綴じにおいては、サドルローラの正転、逆転のタイミングが記録紙長を基準にきめられるため、用紙の混載等を行うと、正しく記録紙を搬送できないため、紙詰まりが発生する。
【００５３】
Ｚ折を行うＺ折部２６０を説明する。Ｚ折部２６０に入り予め定められたサイズに合致した記録紙は、方向変更部材２６８が動作することにより、Ｚ折部パス２６１に進む。記録紙の１／４が２６２を通過したタイミングで折りローラ２６２／２６３が記録紙を２６５に進める用に回転する。この回転動作により１／４が折れる。其のまま中間折パス２６５に記録紙が１／４進んだタイミングで折りローラ２６３／２６４が最終パス２６７に記録紙を進めるように回転する。このため１／４が折られ、Ｚ折になる。そのまま搬送され、パンチユニット２５０に搬送される。このＺ折処理はラージサイズの記録紙のみに適用され、スモールサイズの記録紙には、方向変更部部材は動作せず、そのままパンチ部２５０に搬送される。
【００５４】
続いて、順次読み込む画像を１枚の出力用紙の両面に出力する方法について説明する。
【００５５】
定着部２０７で定着された出力用紙を、一度、排紙部２０８まで搬送後、用紙の搬送向きを反転して搬送方向切り替え部材２０９を介して再給紙用被転写紙積載部２１０に搬送する。次の原稿が準備されると、上記プロセスと同様にして原稿画像が読みとられるが転写紙については再給紙用被転写紙積載部２１０より給紙されるので、結局、同一出力紙の表面、裏面に２枚の原稿画像を出力することができる
次に、排紙を行う場合の動作に関して、図８のフローチャートを用いて説明する。
【００５６】
今給紙口４段を有する機械に１段目Ａ４普通紙、２段目Ａ４色紙、３段目Ａ３  普通紙、４段目Ｂ４普通紙が入っていたとする。
【００５７】
操作部１２３において図７（３）に示す設定フローにて排紙先がトレーＡのみに設定されている場合について説明する。
【００５８】
原稿Ａ３を１０枚、給紙段３段目のＡ３を５部印刷する場合について説明する。
【００５９】
Ｓｔｅｐ８−０において、排紙トレーの候補がトレーＡのみになっているためＳｔｅｐ８−２５に進み、排紙先をトレーＡと決定する。次にＳｔｅｐ８−２６に進み排紙トレーの混載がＯＮになっているかを判断する。今排紙トレー混載がＯＦＦに設定されているので、Ｓｔｅｐ８−２７に進み、トレーＡに積載されている記録紙サイズを参照する。トレーＡ上に記録紙が積載されていない場合は、Ｓｔｅｐ８−３０に進み、トレーＡに記録紙を排紙し終了する。Ｓｔｅｐ８−２７において、トレーＡに記録紙Ｂ４が既に積載されている場合は、Ｓｔｅｐ８−２８に進み図１０に示す“排紙トレーの紙を取り除いてください”を表示し、Ｓｔｅｐ８−２９に進み、トレーＡから記録紙が取り除かれるまで待つ。記録紙が取り除かれると、Ｓｔｅｐ８−３０に進み、トレーＡに記録紙を排紙し終了する。
【００６０】
図７の操作フローにおいて、排紙トレー混載がＯＮの場合は、Ｓｔｅｐ８−２６において、Ｓｔｅｐ８−３０に進み、記録紙をトレーＡに排紙する。Ｓｔｅｐ８−３０において、記録紙の排紙が終了すると、Ｓｔｅｐ８−３１に進み、トレーＡに、記録紙Ａ３を排紙し排紙記録紙１枚についての処理が終了する。このような動作を出力枚数５０枚分同様に行う。
【００６１】
次に操作部１２３において、図７（３）に示す設定フローにおいて、排紙先にトレーＡ、トレーＢの双方が設定されている場合について説明する。
【００６２】
原稿Ａ３を１０枚、給紙段３段目のＡ３を５部印刷する場合について説明する。
【００６３】
Ｓｔｅｐ８−０において、排紙トレーの候補がトレーＡ／トレーＢの双方になっているためＳｔｅｐ８−１に進み、印刷記録紙のサイズ毎の排出トレーが設定されているかを判断する。図７（４）においてキー７１０−２を押下し、図７（５）において、Ａ３サイズの排紙先がトレーＢに設定されている場合は、Ｓｔｅｐ８−２５に進み、排紙先をトレーＢと決定する。次にＳｔｅｐ８−２６に進み排紙トレーの混載がＯＮになっているかを判断する。今排紙トレー混載がＯＦＦに設定されているので、Ｓｔｅｐ８−２７に進み、トレーＢに積載されている記録紙サイズを参照する。トレーＢ上に記録紙が積載されていない場合は、Ｓｔｅｐ８−３０に進み、トレーＡに記録紙を排紙し終了する。Ｓｔｅｐ８−２７において、トレーＢに記録紙Ｂ４が既に積載されている場合は、Ｓｔｅｐ８−２８に進み図１０に示す“排紙トレーの紙を取り除いてください”を表示し、Ｓｔｅｐ８−２９に進み、トレーＢから記録紙が取り除かれるまで待つ。記録紙が取り除かれると、Ｓｔｅｐ８−３０に進み、トレーＡに記録紙を排紙し終了する。図８の操作フローにおいて、排紙トレー混載がＮＯの場合は、Ｓｔｅｐ８−２６において、Ｓｔｅｐ８−３０に進み、記録紙をトレーＢに排紙する。Ｓｔｅｐ８−３０において、記録紙の排紙が終了すると、Ｓｔｅｐ８−３１に進み、トレーＢに、記録紙Ａ３を排紙し、記録紙１枚についての処理が終了する。このような動作を出力枚数５０枚分同様に行う。
【００６４】
次に、図７（３）に示す設定フローにおいて、排紙先にトレーＡ、トレーＢの双方が設定されている場合について説明する。
【００６５】
原稿Ａ３を１０枚、給紙段３段目のＡ３を５部印刷する場合について説明する。図７（４）においてキー７１０−１が押下され、ラージサイズをトレーＢに出力する場合について説明する。
【００６６】
Ｓｔｅｐ８−０において、排紙トレーの候補がトレーＡ／トレーＢの双方になっているためＳｔｅｐ８−１に進み、印刷記録紙のサイズ毎の排出トレーが設定されているかを判断する。図７（４）においてキー７１０−１を押下されているため、Ｓｔｅｐ８−３に進み、今排紙しているサイズがラージサイズか否かを判断する。今Ａ３サイズを出力しているためラージサイズと判断し、Ｓｔｅｐ８−４に進む。続いて、排紙トレーの混載の設定を参照し、今排紙トレー混載がＯＦＦになっているためＳｔｅｐ８−５にすすむ。トレーＢ上の記録紙のサイズを判断し、積載されていない場合は、Ｓｔｅｐ８−７に進み、トレーＢが満載になっていないかを判断する。今積載されていない状態であるため、Ｓｔｅｐ８−１１に進み、トレーＢに排紙を行う。
【００６７】
Ｓｔｅｐ８−５において、トレーＢ上にＢ４サイズが積載されていた場合は、Ｓｔｅｐ８−６に進み、図１０に示す“排紙トレーの紙を取り除いてください”を表示し、Ｓｔｅｐ８−８に進む、トレーＢ上の記録紙が取り除かれるまで待つ。
【００６８】
トレーＢ上の記録紙が取り除かれるとＳｔｅｐ８−７に進む。今トレーＢ上の記録紙Ｂ４が取り除かれた状態であるため、Ｓｔｅｐ８−１１に進む。
【００６９】
Ｓｔｅｐ８−４において、排紙トレー混載がＯＮになっている場合は、Ｓｔｅｐ８−７に進み、トレーＢ上が満載になっていないかを判断する。今トレーＢ上の記録紙が満載である場合には、Ｓｔｅｐ８−９に進み、図１０に示す“排紙トレーの紙を取り除いてください”を表示し、Ｓｔｅｐ８−１０に進みトレーＢ上の記録紙が取り除かれるとＳｔｅｐ８−１１に進む。
【００７０】
Ｓｔｅｐ８−１１に進む記録紙をトレーＢに積載し、Ｓｔｅｐ８−３１に進み、トレーＢにＡ３サイズを排紙し、一枚の記録紙に対する処理を終了する。このような動作を出力枚数５０枚分同様に行う。
【００７１】
次に、排紙先にトレーＡ、トレーＢの双方が設定され、原稿Ａ３を１０枚、給紙段３段目のＡ３を５部印刷し、排紙トレーの印刷サイズによる指定がない場合に、Ｓｔｅｐ８−２において、図７（４）においてキー７１０−１・キー７１０−２の双方が押下されていない場合は、Ｓｔｅｐ８−１２に進む。このとき、トレーＡにＡ４サイズ、トレーＢにＢ５サイズの記録紙が積載されている場合には、Ｓｔｅｐ８−１２に進み、排紙トレー混載のＯＮ／ＯＦＦを判断する。Ｓｔｅｐ８−１２においてＯＦＦと判断した場合は、Ｓｔｅｐ８−１３に進み、優先トレー上に積載されている記録紙のサイズを判断する。優先トレーとは、予めトレーＡとなっている。トレーＡ上に記録紙Ａ４が積載されているため、Ｓｔｅｐ８−１７に進み、トレーＢに記録紙Ｂ５が積載されているため、Ｓｔｅｐ８−２１に進む。トレーＢ上の記録紙が取り除かれるまで待つ。記録紙が取り除かれると、Ｓｔｅｐ８−１９に進み、トレーが満載か否かを判断する。今Ｂ５サイズを取り除いたため、Ｓｔｅｐ８−２０に進み、トレーＢにＡ３サイズを排出する。
【００７２】
Ｓｔｅｐ８−１２において、トレーＡにＡ４サイズ、トレーＢは積載されていない場合は、Ｓｔｅｐ８−１８にすすみ、トレーＢを排出トレーと決定する。次に、Ｓｔｅｐ８−１９に進み、トレーが満載か否かを判断する。積載されていないため、Ｓｔｅｐ８−２０に進み、トレーＢにＡ３サイズを排出する。
【００７３】
Ｓｔｅｐ８−１２において、トレーＡにＡ４サイズ、トレーＢにＡ３サイズが積載されている場合は、Ｓｔｅｐ８−１８にすすみ、トレーＢを排出トレーと決定する。次に、Ｓｔｅｐ８−１９に進み、トレーが満載か否かを判断する。トレーＢに積載されている記録紙が満載の場合は、Ｓｔｅｐ８−２３にすすみ、図１０に示す“排紙トレーの紙を取り除いてください”を表示し、Ｓｔｅｐ８−２４に進みトレーＢ上の記録紙が取り除かれるとＳｔｅｐ８−１１に進む。
【００７４】
満載でない場合は、Ｓｔｅｐ８−２０に進み、トレーＢにＡ３サイズを排出する。
【００７５】
Ｓｔｅｐ８−１２において、トレーＡにＡ３サイズ、トレーＢは積載されていない場合は、Ｓｔｅｐ８−１４にすすみ、トレーＡを排出トレーと決定する。トレーＡに積載されている記録紙が満載の場合は、Ｓｔｅｐ８−１７にすすみ、トレーＢに排出可能かを判断する。満載でない場合はＳｔｅｐ８−１６に進み、トレーＡに排出すると決定する。
【００７６】
Ｓｔｅｐ８−１６もしくはＳｔｅｐ８−２０において、排紙を行い、Ｓｔｅｐ８−３１に進み、排出したトレー及びサイズを記憶する。
これを、出力枚数分だけ出力し、終了する。
【図面の簡単な説明】
【００７７】
【図１】本実施例を示す本体図
【図２】本実施例における画像処理部の図
【図３】本実施例に画像セレクタを示す図
【図４−１】本実施例における操作部の図
【図４−２】本実施例における操作部の図
【図５】本実施例におけるメモリ読み出しを表す図
【図６】本実施例におけるレイアウトメモリ・蓄積メモリを示す図
【図７】本実施例における混載設定用操作部表示の図
【図８】本実施例におけるフローチャート
【図９】本実施例におけるＡ３サイズをトレーＡ、Ａ４サイズをトレーＢに排紙している場合の図
【図１０】本実施例における排紙トレーを取り除く表示の図
【符号の説明】
【００７８】
１  原稿読み取り部、原稿給送装置
２  プリンタ部
１０２  原稿台ガラス
１０３  原稿照射ランプ
１０４  光学ユニット
１０８  レンズ
１０９  ＣＣＤユニット
１０９  ＣＣＤ
１１１  アナプロ
１１２  シェーディング回路
１１３  Ｙ信号色生成回
１１５  輪郭エッジ強調回路
１１６  マーカエリア生成回路
１１７  パターン太らせ回路
１１８  画像セレクタ
１１９  レーザドライバ
１２０  画像メモリ
１２２  ＣＰＵ
１２３  操作部
１２４  ＲＯＭ
１２５  画像データ縮小回路
１２５  ＲＡＭ
１３０  キャラクタデータ
１０５  １０６  光学ミラー
２１１  現像ドラム
２１２  現像ユニット
２１４／２１５／２２５／２２６  給紙カセット
２１６  分離器
２１７  定着器
２２０  進路変更部材
２２１  両面パス
２３３  ステイプルユニット
２３４  サドルパス
２３４  排紙トレー
２４１  スタートキー
２４５  置数表示部
２４６  復帰キー
２４６  テンキー／クリアキー
２４７  ユーザーモードキー
２４８  用紙選択キー
２５０  液晶表示部
２５１  濃度調整キー
２５２  ＯＫキー
２５３  ガイドキー
２５４  縮小／拡大キー
２５５  倍率液晶表示部
２５８  キー
２５９  等倍キー
２６０  Ｚ折部
２６１  Ｚ折パス
２６２／２６３／２６６  Ｚ折ローラ
２６２  濃度表示部
２６３  自動濃度調整機能キー
２６４  応用モードキー
２６５  Ｚ折反転パス
２６７  Ｚ折排紙パス、パンチャー部、ステイプラ部、中綴じ部サドル／ステイプル切り替え部材
２７０  カセット表示部
【図１】
2005208224.tif 000003
【図２】
2005208224.tif 000004
【図３】
2005208224.tif 000005
【図４−１】
2005208224.tif 000006
【図４−２】
2005208224.tif 000007
【図５】
2005208224.tif 000008
【図６】
2005208224.tif 000009
【図７】
2005208224.tif 000010
【図８】
2005208224.tif 000011
【図９】
2005208224.tif 000012
【図１０】
2005208224.tif 000013